(57)【要約】【課題】複数の画像処理装置から使用情報を収集した後に、承認操作が行われ、使用情報を情報収集装置に送信するようにした情報処理装置を提供する。【解決手段】情報処理装置の取得手段は、情報収集装置から使用情報を収集すべき画像処理装置に関する情報を取得し、収集手段は、複数の前記画像処理装置から課金するための使用情報を収集し、送信手段は、前記使用情報に関しての承認操作にしたがって、該使用情報を前記情報収集装置に送信する。【選択図】図１
2017162169.tif 000002
【特許請求の範囲】
【請求項１】
情報収集装置から使用情報を収集すべき画像処理装置に関する情報を取得する取得手段と、
複数の前記画像処理装置から課金するための使用情報を収集する収集手段と、
前記使用情報に関しての承認操作にしたがって、該使用情報を前記情報収集装置に送信する送信手段
を有する情報処理装置。
【請求項２】
操作者が担当している画像処理装置について、承認を規定値として表示する表示手段
をさらに有する請求項１に記載の情報処理装置。
【請求項３】
前記表示手段は、操作者が担当していない画像処理装置について、非承認を規定値として表示する、
請求項２に記載の情報処理装置。
【請求項４】
画像処理装置毎に定められた、使用情報を情報収集装置に送信する期間内である場合、本情報処理装置に該画像処理装置の担当者がログインした後に、該画像処理装置の使用情報を送信するための期間であることを示す表示を行う第２の表示手段
をさらに有する請求項１から３のいずれか一項に記載の情報処理装置。
【請求項５】
前記送信手段は、非承認である場合は、非承認である旨と前記使用情報を前記情報収集装置に送信する、
請求項１から４のいずれか一項に記載の情報処理装置。
【請求項６】
コンピュータを、
情報収集装置から使用情報を収集すべき画像処理装置に関する情報を取得する取得手段と、
複数の前記画像処理装置から課金するための使用情報を収集する収集手段と、
前記使用情報に関しての承認操作にしたがって、該使用情報を前記情報収集装置に送信する送信手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、課金のために画像形成装置から収集されたカウンタ情報に対するユーザーの承認を自動的に得ることにより、請求書発行時の信頼性向上、カウンタ情報の精度向上、カウンタ情報確認にかかるコスト削減が可能な請求書発行システムを提供することを課題とし、請求書発行システムによれば、指定された期日が到来すると、カウンタ収集サーバは複合機へカウンタ情報の送信要求を行い、複合機はカウンタ収集サーバへカウンタ部のカウンタ情報を送信し、カウンタ収集サーバは、複合機に受信されたカウンタ情報の確認メールを送信し、複合機を介してユーザー側情報処理装置から承認が返信されると、請求書発行装置に通知し、請求書発行装置は、承認されたカウンタ情報に基づいて請求書を発行することが開示されている。
【先行技術文献】
【特許文献】
【０００３】
【特許文献１】特開２００５−０６２５５８号公報
【発明の概要】
【発明が解決しようとする課題】
【０００４】
前述の特許文献１に記載の技術では、画像処理装置から課金するための使用情報を情報収集装置が収集するのに、直接画像処理装置から情報収集装置に送信することが行われている。
しかし、使用情報に関しての承認操作が必要であるため、画像処理装置が複数ある場合、それぞれの画像処理装置の担当者が、その承認操作を行う必要がある。
そこで、本発明は、複数の画像処理装置から使用情報を収集した後に、承認操作が行われ、使用情報を情報収集装置に送信するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、情報収集装置から使用情報を収集すべき画像処理装置に関する情報を取得する取得手段と、複数の前記画像処理装置から課金するための使用情報を収集する収集手段と、前記使用情報に関しての承認操作にしたがって、該使用情報を前記情報収集装置に送信する送信手段を有する情報処理装置である。
【０００６】
請求項２の発明は、操作者が担当している画像処理装置について、承認を規定値として表示する表示手段をさらに有する請求項１に記載の情報処理装置である。
【０００７】
請求項３の発明は、前記表示手段は、操作者が担当していない画像処理装置について、非承認を規定値として表示する、請求項２に記載の情報処理装置である。
【０００８】
請求項４の発明は、画像処理装置毎に定められた、使用情報を情報収集装置に送信する期間内である場合、本情報処理装置に該画像処理装置の担当者がログインした後に、該画像処理装置の使用情報を送信するための期間であることを示す表示を行う第２の表示手段をさらに有する請求項１から３のいずれか一項に記載の情報処理装置である。
【０００９】
請求項５の発明は、前記送信手段は、非承認である場合は、非承認である旨と前記使用情報を前記情報収集装置に送信する、請求項１から４のいずれか一項に記載の情報処理装置である。
【００１０】
請求項６の発明は、コンピュータを、情報収集装置から使用情報を収集すべき画像処理装置に関する情報を取得する取得手段と、複数の前記画像処理装置から課金するための使用情報を収集する収集手段と、前記使用情報に関しての承認操作にしたがって、該使用情報を前記情報収集装置に送信する送信手段として機能させるための情報処理プログラムである。
【発明の効果】
【００１１】
請求項１の情報処理装置によれば、複数の画像処理装置から使用情報を収集した後に、承認操作が行われ、使用情報を情報収集装置に送信することができる。
【００１２】
請求項２の情報処理装置によれば、操作者が担当している画像処理装置について、承認を規定値として表示することができる。
【００１３】
請求項３の情報処理装置によれば、操作者が担当していない画像処理装置について、非承認を規定値として表示することができる。
【００１４】
請求項４の情報処理装置によれば、担当者がログインした後に、画像処理装置の使用情報を送信するための期間であることを示す表示を行うことができる。
【００１５】
請求項５の情報処理装置によれば、非承認である場合は、非承認である旨と使用情報を情報収集装置に送信することができる。
【００１６】
請求項６の情報処理プログラムによれば、複数の画像処理装置から使用情報を収集した後に、承認操作が行われ、使用情報を情報収集装置に送信することができる。
【図面の簡単な説明】
【００１７】
【図１】第１の実施の形態を利用したシステム構成例を示す説明図である。
【図２】第１の実施の形態の構成例についての概念的なモジュール構成図である。
【図３】本実施の形態を利用したシステム構成例を示す説明図である。
【図４】画像処理装置テーブルのデータ構造例を示す説明図である。
【図５】第１の実施の形態による処理例を示すフローチャートである。
【図６】第１の実施の形態による処理例を示す説明図である。
【図７】第１の実施の形態による処理例を示す説明図である。
【図８】第２の実施の形態の構成例についての概念的なモジュール構成図である。
【図９】送信期間テーブルのデータ構造例を示す説明図である。
【図１０】第２の実施の形態による処理例を示すフローチャートである。
【図１１】第２の実施の形態による処理例を示す説明図である。
【図１２】本実施の形態を実現するコンピュータのハードウェア構成例を示すブロック図である。
【発明を実施するための形態】
【００１８】
以下、図面に基づき本発明を実現するにあたっての好適な各種の実施の形態の例を説明する。
＜第１の実施の形態＞
図１は、第１の実施の形態を利用したシステム構成例を示す説明図である。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
第１の実施の形態である情報処理装置１００は、複数の画像処理装置１９０から収集した使用情報を情報収集サーバ１８０に送信するものであって、図１の例に示すように、情報処理装置１００は、画像処理装置１９０、情報収集サーバ１８０と接続されている。なお、実線の接続線は主に情報収集サーバ１８０からの情報の流れを示しており、点線の接続線は主に画像処理装置１９０からの情報の流れを示している。
なお、図１の例に示した情報処理装置１００は２台（情報処理装置Ｘ：１００Ｘ、情報処理装置Ｙ：１００Ｙ）の例を示しているが、１台であってもよいし、３台以上であってもよい。
【００２０】
情報処理装置１００は、画像処理装置１９０の担当者（管理者、使用情報の承認を行う者（承認者）等ともいわれる）が操作するものであって、具体的には、ＰＣ（Ｐｅｒｓｏｎａｌ  Ｃｏｍｐｕｔｅｒ、デスクトップ型、ノート型、タブレット型等であってもよい）等が該当する。また、例えば、ブラウザ機能のユーザーインタフェースを用いて、情報収集サーバ１８０、画像処理装置１９０との通信を行ってもよい。
画像処理装置１９０は、複写機、ファックス、スキャナ、プリンタ、複合機（スキャナ、プリンタ、複写機、ファックス等のいずれか２つ以上の機能を有している画像処理装置）等が該当する。そして、画像処理装置１９０の使用情報とは、課金するための情報であって、複写機、ファックス、プリンタ、複合機にあっては、印刷枚数（出力枚数）を示すカウンタ情報等（以下、使用情報として、カウンタ情報を例示する）が該当する。また、複写機、ファックス、スキャナ、複合機にあっては、スキャン枚数、又はスキャンしたことによる記憶装置の使用容量等を使用情報としてもよいし、これらの組み合わせであってもよい。この使用情報は、課金に用いられる情報であるため、情報収集サーバ１８０に送信するにあたって、担当者による承認操作が必要である。
情報収集サーバ１８０は、画像処理装置１９０を管理する装置であって、例えば、画像処理装置１９０の使用に対する課金処理を行うために、各画像処理装置１９０毎の使用情報が必要である。例えば、画像処理装置１９０のメーカー側のサイトに設置されている。具体例として、収集したカウンタ情報から請求書を発行する。
【００２１】
図１に示す例を用いて、情報処理装置１００の処理の概略（もっぱら技術の理解を容易にする技術情報として用いるものである）を説明する。
Ｓｔｅｐ１０２では、情報処理装置１００は、情報収集サーバ１８０から、画像処理装置情報を収集する。
Ｓｔｅｐ１０４では、情報処理装置１００は、画像処理装置Ａ：１９０Ａ、画像処理装置Ｂ：１９０Ｂ、画像処理装置Ｃ：１９０Ｃから、カウンタ情報を収集する。
Ｓｔｅｐ１０６では、情報処理装置１００は、担当者の操作にしたがって、カウンタ情報の承認又は代理承認を行う。代理承認は、その担当者以外の担当者が担当している画像処理装置１９０のカウンタ情報を承認することである。
Ｓｔｅｐ１０８では、情報処理装置１００は、情報収集サーバ１８０に対して、承認又は代理承認されたカウンタ情報を送信する。
【００２２】
図２は、第１の実施の形態の構成例についての概念的なモジュール構成図である。
情報処理装置１００は、画像処理装置登録管理モジュール１０５、画像処理装置ＤＢ１１０、画像処理装置情報収集モジュール１１５、画像処理装置カウンタ収集モジュール１２０、画像処理装置情報整合モジュール１２５、表示モジュール１３０、情報送信モジュール１３５を有している。
画像処理装置登録管理モジュール１０５は、画像処理装置ＤＢ１１０、画像処理装置情報整合モジュール１２５と接続されており、また、通信回線２９０を介して画像処理装置１９０と接続されている。画像処理装置登録管理モジュール１０５は、画像処理装置１９０から送信されてきた画像処理装置１９０に関する情報を受信し、画像処理装置ＤＢ１１０に登録する。例えば、画像処理装置１９０の機械番号（本実施の形態で画像処理装置１９０を一意に識別するための情報）、アドレス（ＩＰアドレス等）等を受信する。
【００２３】
画像処理装置ＤＢ１１０は、画像処理装置登録管理モジュール１０５、画像処理装置情報収集モジュール１１５、画像処理装置カウンタ収集モジュール１２０、画像処理装置情報整合モジュール１２５、表示モジュール１３０、情報送信モジュール１３５と接続されている。画像処理装置ＤＢ１１０は、画像処理装置登録管理モジュール１０５、画像処理装置情報収集モジュール１１５、画像処理装置カウンタ収集モジュール１２０が受信した情報を記憶している。例えば、画像処理装置テーブル４００を記憶している。図４は、画像処理装置テーブル４００のデータ構造例を示す説明図である。画像処理装置テーブル４００は、画像処理装置名欄４１０、設置場所欄４２０、機械番号欄４３０、送信期間欄４４０、アドレス欄４５０、カウンタ欄４６０を有している。画像処理装置名欄４１０は、画像処理装置１９０の名称を記憶している。設置場所欄４２０は、その画像処理装置１９０が設置された場所を記憶している。機械番号欄４３０は、その画像処理装置１９０の機械番号を記憶している。送信期間欄４４０は、その画像処理装置１９０のカウント情報を情報収集サーバ１８０に送信する期間を記憶している。この送信期間は、画像処理装置１９０毎に予め定められている。アドレス欄４５０は、その画像処理装置１９０のアドレスを記憶している。カウンタ欄４６０は、その画像処理装置１９０のカウンタ情報を記憶している。画像処理装置名欄４１０、設置場所欄４２０、機械番号欄４３０、送信期間欄４４０内の情報は、情報収集サーバ１８０から送信された情報であり、機械番号欄４３０、アドレス欄４５０、カウンタ欄４６０内の情報は、画像処理装置１９０から送信された情報である。情報収集サーバ１８０、画像処理装置１９０から送信された情報は、機械番号欄４３０内の情報が一致する行に格納すればよい。
【００２４】
画像処理装置情報収集モジュール１１５は、画像処理装置ＤＢ１１０、画像処理装置情報整合モジュール１２５と接続されており、また、通信回線２９０を介して情報収集サーバ１８０と接続されている。画像処理装置情報収集モジュール１１５は、情報収集サーバ１８０から使用情報を収集すべき画像処理装置１９０に関する情報を取得する。例えば、画像処理装置１９０の機械番号、設置場所等の情報を収集する。
画像処理装置カウンタ収集モジュール１２０は、画像処理装置ＤＢ１１０と接続されており、また、通信回線２９０を介して画像処理装置１９０と接続されている。画像処理装置カウンタ収集モジュール１２０は、複数の画像処理装置１９０から課金するための使用情報を収集する。
画像処理装置情報整合モジュール１２５は、画像処理装置登録管理モジュール１０５、画像処理装置ＤＢ１１０、画像処理装置情報収集モジュール１１５と接続されている。画像処理装置情報整合モジュール１２５は、画像処理装置登録管理モジュール１０５が画像処理装置１９０から収集した情報と、画像処理装置情報収集モジュール１１５が情報収集サーバ１８０から取得した情報が整合している画像処理装置１９０の情報を画像処理装置ＤＢ１１０に登録する。
【００２５】
表示モジュール１３０は、画像処理装置ＤＢ１１０と接続されている。表示モジュール１３０は、画像処理装置１９０に関する情報、使用情報を、情報処理装置１００の液晶ディスプレイ等の表示装置に表示する。
表示モジュール１３０は、操作者が担当している画像処理装置１９０について、承認を規定値として表示するようにしてもよい。ここでの操作者とは、情報処理装置１００の操作を行っている者であって、画像処理装置１９０の担当者である。
また、表示モジュール１３０は、操作者が担当していない画像処理装置について、非承認を規定値として表示するようにしてもよい。
表示モジュール１３０による表示内容については、具体的に、図６、７等を用いて後述する。
【００２６】
情報送信モジュール１３５は、画像処理装置ＤＢ１１０接続されており、また、通信回線２９０を介して情報収集サーバ１８０と接続されている。情報送信モジュール１３５は、使用情報に関しての承認操作にしたがって、その使用情報を情報収集サーバ１８０に送信する。
また、情報送信モジュール１３５は、非承認である場合は、非承認である旨と使用情報を情報収集サーバ１８０に送信するようにしてもよい。
【００２７】
情報収集サーバ１８０は、通信回線２９０を介して画像処理装置情報収集モジュール１１５、情報送信モジュール１３５と接続されている。
画像処理装置１９０は、通信回線２９０を介して画像処理装置登録管理モジュール１０５、画像処理装置カウンタ収集モジュール１２０と接続されている。
【００２８】
図３は、本実施の形態を利用したシステム構成例を示す説明図である。
図３（ａ）の例では、情報処理装置１００、情報収集サーバ１８０、複数の画像処理装置１９０（この例では、画像処理装置Ａ：１９０Ａ、画像処理装置Ｂ：１９０Ｂ、画像処理装置Ｃ：１９０Ｃ）は、通信回線２９０を介してそれぞれ接続されている。通信回線２９０は、無線、有線、これらの組み合わせであってもよく、例えば、通信インフラとしてのインターネット、イントラネット等であってもよい。また、情報収集サーバ１８０による機能は、クラウドサービスとして実現してもよい。
図３（ｂ）の例では、情報処理装置１００、複数の画像処理装置１９０（この例では、画像処理装置Ａ：１９０Ａ、画像処理装置Ｂ：１９０Ｂ、画像処理装置Ｃ：１９０Ｃ、画像処理装置Ｄ：１９０Ｄ、画像処理装置Ｅ：１９０Ｅ、画像処理装置Ｆ：１９０Ｆ）は、通信回線を介してそれぞれ接続されている。
情報処理装置１００、情報収集サーバ１８０は、通信回線２９０、ファイアーウォール２３０を介して接続されている。例えば、情報処理装置１００と画像処理装置１９０間はイントラネットであり、通信回線２９０はインターネットである場合に、ファイアーウォール２３０が設置される。つまり、情報処理装置１００と画像処理装置１９０はファイアーウォール内に、情報収集サーバ１８０はそのファイアーウォール外に設置されており、情報処理装置１００から情報収集サーバ１８０への通信がないと情報収集サーバ１８０から情報処理装置１００への通信はできないように設置されている。この形態の場合は、画像処理装置１９０のカウンタ情報の送信処理にあたって、情報収集サーバ１８０から情報処理装置１００への依頼を契機とするのではなく、情報処理装置１００から情報収集サーバ１８０への送信を契機としている。
また、これらの画像処理装置１９０では、機種が統一されているわけではない（異なる機種が複数ある）。そして、導入時期や契約形態も異なるため、カウンタ情報の送信期間が異なっている場合がある。さらに、画像処理装置１９０が複数台あることから、担当者も複数人となる場合が多い。このような状況である場合に、情報処理装置１００は特に適している。
【００２９】
図５は、第１の実施の形態による処理例を示すフローチャートである。
ステップＳ５００では、事前の準備を行う。
ステップＳ５０２では、通信回線２９０上の画像処理装置１９０を登録する。例えば、登録情報として、ＩＰアドレス、機種機械番号等を画像処理装置１９０から取得して登録する。なお、この処理は、画像処理装置１９０の設置後に、一回実施すればよい。
ステップＳ５０４では、カウンタ情報の送信を開始する。
ステップＳ５０６では、情報収集サーバ１８０からカウンタ情報の送信要求である電子メールを受信する。なお、図３（ｂ）の例に示したようにファイアーウォール２３０が設置されている場合であっても、情報収集サーバ１８０から情報処理装置１００への電子メールは、情報収集サーバ１８０から直接情報処理装置１００への送信ではなく、メールサーバを介しての送信であり、情報処理装置１００からの電子メール取得の指示を契機として行われるものである。
【００３０】
ステップＳ５０８では、情報処理装置１００の処理を行うツールを起動し、ユーザーの操作による「最新の情報に更新」ボタン６７５のクリックを検知する。具体的な表示内容については、図６の例を用いて後述する。
ステップＳ５１０では、情報収集サーバ１８０から画像処理装置１９０の情報を取得する。
ステップＳ５１２では、登録済みの画像処理装置１９０からカウンタ情報を取得する。
ステップＳ５１４では、機種又は機械番号でマッチングを行う。つまり、情報収集サーバ１８０から取得した画像処理装置１９０と、登録済みの画像処理装置１９０の整合を取る。
ステップＳ５１６では、画像処理装置１９０の情報を画面に表示する。情報収集サーバ１８０から取得した画像処理装置１９０の情報に、画像処理装置１９０から取得したカウンタ情報を表示する。
【００３１】
ステップＳ５１８では、今回のカウンタ情報は送信済みか否かを判断し、送信済みの場合はステップＳ５２０へ進み、それ以外の場合はステップＳ５２２へ進む。ここでの処理では、情報収集サーバ１８０から取得した画像処理装置１９０の情報で判定する。
ステップＳ５２０では、状態欄６２０を緑アイコンにし、送信フラグをオフにする。
ステップＳ５２２では、状態欄６２０をＮｕｌｌにし、送信フラグをオンにする。
ステップＳ５２４では、画像処理装置メーター関連情報テーブル６１５内に表示する画像処理装置情報をフィルタリング処理する。つまり、操作者の操作に応じて画像処理装置情報をフィルタリング表示し、表示する画像処理装置１９０を絞り込む。
【００３２】
ステップＳ５２６では、操作者がカウンタ情報を送信しないか否かを判断し、送信しない場合はステップＳ５２８へ進み、それ以外の場合はステップＳ５３０へ進む。すべての画像処理装置１９０について確認する。
ステップＳ５２８では、送信／承認欄６６０内のチェックボックスのオフを検知する。
ステップＳ５３０では、「送信」ボタン６８０のクリックを検知する。
ステップＳ５３２では、送信／承認欄６６０内のチェックボックスがオンの画像処理装置１９０のカウンタ情報を情報収集サーバ１８０に送信する。
ステップＳ５９９では、カウンタ情報の送信を終了する。
【００３３】
図６は、第１の実施の形態による処理例を示す説明図である。
ステップＳ５１６では、例えば、画像処理装置モニター画面６００を表示する。画像処理装置モニター画面６００内に、フィルタリング用ボックス６０５、消耗品タブ、修理点検タブ、メータータブ６１０を表示し、メータータブ６１０が、ユーザーの操作によって選択された場合は、画像処理装置メーター関連情報テーブル６１５、「最新の情報に更新」ボタン６７５、「送信」ボタン６８０を表示する。
そして、画像処理装置メーター関連情報テーブル６１５は、状態欄６２０、ニックネーム欄６２５、設置場所欄６３０、機種名欄６３５、機械番号欄６４０、担当者欄６４５、メーター取得欄６５０、メーター１欄６５５Ａ、メーター２欄６５５Ｂ、メーター３欄６５５Ｃ、送信／承認欄６６０、報告期日欄６６５、締切日欄６７０を有している。画像処理装置メーター関連情報テーブル６１５内の初期状態は未表示（空欄）である。「最新の情報に更新」ボタン６７５が選択された場合に、表示する。つまり、対象となる複数の画像処理装置１９０の情報（例えば、名称、設置場所、機種名、機械番号、担当者、前回のカウンタ情報、今回のカウンタ情報（例えば、未送信の場合は０）を、情報収集サーバ１８０から取得し、表示する。
そして、複数の画像処理装置１９０から、機械番号とカウンタ情報を取得し、情報収集サーバ１８０から取得した機械番号とマッチングさせた上で、画像処理装置１９０から取得したカウンタ情報を合わせて、メーター欄６５５に表示する。画像処理装置１９０では、従来の処理を行えばよい。
状態欄６２０は、その行で対象としている画像処理装置１９０のカウンタ情報の送信状態を表示している。ニックネーム欄６２５は、その画像処理装置１９０の名称（ニックネーム）を表示している。設置場所欄６３０は、その画像処理装置１９０の設置されている場所を表示している。機種名欄６３５は、その画像処理装置１９０の機種名を表示している。機械番号欄６４０は、その画像処理装置１９０の機械番号を表示している。担当者欄６４５は、その画像処理装置１９０の担当者を表示している。メーター取得欄６５０、メーター１欄６５５Ａ、メーター２欄６５５Ｂ、メーター３欄６５５Ｃは、その画像処理装置１９０のカウンタ情報を前回と今回に分けて表示している。メーター１欄６５５Ａ等は、例えば、カラー印刷の枚数、白黒印刷の枚数、カラーコピーの枚数を表示している。送信／承認欄６６０は、その画像処理装置１９０のカウンタ情報について、送信／承認であるか否かを指定するためのチェックボックスを有している。例えば、このチェックボックスがチェックされ、「送信」ボタン６８０が選択されたことが、承認操作に該当する。報告期日欄６６５は、その画像処理装置１９０のカウンタ情報が報告（送信）された期日を表示している。締切日欄６７０は、その画像処理装置１９０のカウンタ情報の送信の締切日を表示している。
【００３４】
フィルタリング用ボックス６０５は、画像処理装置１９０の情報（例えば、設置場所等）をフィルタリングして表示するためのものである。つまり、フィルタリング用ボックス６０５内に書き込まれたテキストに合致する画像処理装置１９０を検索する。
メータータブ６１０、画像処理装置メーター関連情報テーブル６１５は、今回の送信において、カウンタ情報の未送信の画像処理装置１９０が存在する場合には、未送信状態を表示する。複数人の担当者で複数の画像処理装置１９０を管理している場合であって、フィルタリング用ボックス６０５で担当者を受け付けると、その担当者が担当する画像処理装置１９０に表示を絞り込める。そのため、カウンタ情報の送信／承認漏れが防止できる。また、担当者で絞り込みを行わない場合は、担当の画像処理装置１９０のカウンタ情報を送信済みであったとしても、担当外の画像処理装置１９０でカウンタ情報の未送信の画像処理装置１９０がある場合、未送信である状態の画像処理装置１９０を表示させることができる。つまり、フィルタリング用ボックス６０５での指定がない場合、全体の状況を表示でき、担当外の画像処理装置１９０でカウンタ情報の未送信で送信期限間近の場合は代理で承認できるようになる。
【００３５】
担当者欄６４５は、画像処理装置１９０の担当者情報を表示する。そして、画像処理装置１９０の担当者が操作者（自分）である場合には、送信／承認欄６６０内のチェックボックスをオンに自動設定する。これによって、カウンタ情報の承認が漏れなく行える。
また、例えば、他の担当者が未送信の場合、代理で送信するようにしてもよい。具体的には、正副担当者制の場合で、正担当者が未送信の場合、副担当者が代理で送信することができる。
【００３６】
送信／承認欄６６０では、送信フラグをユーザーの操作（手動）でオフオンできるようにしている。カウンタ情報を送信済みの場合は、送信フラグをオフ（送信不要であることを意味する）に自動設定し、カウンタ情報を未送信の場合は、送信フラグをオン（送信要であることを意味する）に自動設定する。そして、未承認の場合は、ユーザーの操作で送信フラグをオフに設定することになり、カウンタ情報を送信しない。
ユーザーの操作によって「送信」ボタン６８０が選択された場合、送信フラグがオンの画像処理装置１９０のカウンタ情報をまとめて情報収集サーバ１８０に送信する。つまり、送信（承認）行為が１回で済む。また、カウンタ情報の送信期間が各画像処理装置１９０でずれていても、送信（承認）行為は１回で済む。例えば、送信期間が毎月１５日〜２５日、２０日〜３０日の画像処理装置１９０が混在していても、２０日〜２５日の間で一括送信が可能となる。
【００３７】
図６の例では、以下のことを示している。
情報処理装置１００の操作者（田中）が担当の画像処理装置１９０の送信／承認欄６６０内のチェックボックスに、チェックが自動的に入っている。具体的には、最初の状態では、画像処理装置メーター関連情報テーブル６１５内の１行目、２行目、３行目が、チェックされている。
そして、画像処理装置メーター関連情報テーブル６１５内の３行目の画像処理装置１９０のカウンタ情報について未承認の場合には、ポインター６９０Ａを用いてチェックが外される。そして、「送信」ボタン６８０がポインター６９０Ｂを用いてクリックされると、画像処理装置メーター関連情報テーブル６１５内の１行目、２行目画像処理装置１９０のカウンタ情報が、情報収集サーバ１８０に送信されることとなる。
【００３８】
図７は、第１の実施の形態による処理例を示す説明図である。
図６の例で、「送信」ボタン６８０が選択された後に、２回目に起動すると、送信済みの画像処理装置の状態欄６２０には、状態表示アイコン（送信済）７０２、状態表示アイコン（送信済）７０４を表示し、未送信の画像処理装置の状態欄６２０には、状態表示アイコン（未送信）７０６を表示する。つまり、状態欄６２０には、今回のカウンタ情報を送信済みの画像処理装置１９０については、送信済みを示すアイコンを表示する。そして、前回が未承認の画像処理装置１９０については、未承認を示すアイコンを表示する。状態欄６２０によって、カウンタ情報の送信済みと未送信（未承認）の画像処理装置１９０を把握することができる。
また、他の担当者（鈴木）の承認、送信を代行する場合は、送信／承認欄６６０内のチェックボックスに手動でチェックを入れることとなる。具体的には、画像処理装置メーター関連情報テーブル６１５内の４行目、５行目が、ポインター７９０Ａ、ポインター７９０Ｂによってチェックされ、「送信」ボタン６８０がポインター７９０Ｃによって選択されることとなる。
【００３９】
＜第２の実施の形態＞
図８は、第２の実施の形態の構成例についての概念的なモジュール構成図を示している。
情報処理装置８００は、画像処理装置ＤＢ１１０、画像処理装置情報収集モジュール１１５、定期問合せモジュール８２０、自動カウンタ情報送信期間表示モジュール８２５、未送信アラート表示モジュール８３０、手動カウンタ情報送信期間表示モジュール８３５を有している。情報処理装置８００は、承認漏れを防止するための機能を有している。なお、第１の実施の形態と同種の部位には同一符号を付し重複した説明を省略する。
画像処理装置ＤＢ１１０は、定期問合せモジュール８２０、自動カウンタ情報送信期間表示モジュール８２５、未送信アラート表示モジュール８３０、手動カウンタ情報送信期間表示モジュール８３５と接続されている。
画像処理装置情報収集モジュール１１５は、定期問合せモジュール８２０、自動カウンタ情報送信期間表示モジュール８２５、未送信アラート表示モジュール８３０と接続されており、また、通信回線２９０を介して情報収集サーバ１８０と接続されている。
情報収集サーバ１８０は、通信回線２９０を介して、画像処理装置情報収集モジュール１１５と接続されている。
【００４０】
定期問合せモジュール８２０は、画像処理装置ＤＢ１１０、画像処理装置情報収集モジュール１１５と接続されている。定期問合せモジュール８２０は、情報収集サーバ１８０から画像処理装置１９０に関する情報を定期的に問い合わせ、前述の画像処理装置モニター画面６００を表示するようにしてもよい。なお、ここでの定期的は、予め定められた期間毎や情報処理装置８００へのログインのタイミングであってもよいし、送信期間テーブル９００を用いてもよい。図９は、送信期間テーブル９００のデータ構造例を示す説明図である。なお、送信期間テーブル９００は、情報収集サーバ１８０から取得して、画像処理装置ＤＢ１１０に記憶されていてもよい。送信期間テーブル９００は、カウンタ情報送信期間欄９１０、対象画像処理装置欄９２０を有している。カウンタ情報送信期間欄９１０は、カウンタ情報の送信期間を記憶している。対象画像処理装置欄９２０は、その送信期間が適用される画像処理装置１９０を記憶している。対象画像処理装置欄９２０内の期間になったら、情報収集サーバ１８０に問い合わせを行い、前述の画像処理装置モニター画面６００等を表示するための情報を取得する。また、未送信アラート表示モジュール８３０は、送信期間テーブル９００のカウンタ情報送信期間欄９１０内の期間になったら、そのことを示す表示を行うようにしてもよい。例えば、視覚的（アイコン、ポップアップ等）に通知してもよい。これによって、送信（承認）忘れを防止できる。
【００４１】
自動カウンタ情報送信期間表示モジュール８２５は、画像処理装置ＤＢ１１０、画像処理装置情報収集モジュール１１５と接続されている。自動カウンタ情報送信期間表示モジュール８２５は、未送信アラート表示モジュール８３０による表示を行うにあたって、カウンタ情報の送信期間、今回の通知対象期間外のカウンタ情報送信期間を表示する。承認者は、情報処理装置８００において通知対象期間を知ることができるようになる。
手動カウンタ情報送信期間表示モジュール８３５は、画像処理装置ＤＢ１１０と接続されている。手動カウンタ情報送信期間表示モジュール８３５は、操作者の操作にしたがって、カウンタ情報の送信期間、今回の通知対象期間外のカウンタ情報送信期間を表示する。承認者は、情報処理装置８００において通知対象期間を知ることができるようになる。
【００４２】
未送信アラート表示モジュール８３０は、画像処理装置ＤＢ１１０、画像処理装置情報収集モジュール１１５と接続されている。未送信アラート表示モジュール８３０は、画像処理装置１９０毎に定められた、使用情報を情報収集サーバ１８０に送信する期間内である場合、情報処理装置８００にその画像処理装置１９０の担当者がログインした後に、その画像処理装置１９０の使用情報を送信するための期間であることを示す表示を行うようにしてもよい。
カウンタ情報の未送信（未承認）の画像処理装置１９０が存在する場合、視覚的（アイコン、ポップアップ等）に通知する。さらに、自担当と他担当の画像処理装置１９０を区別して表示するようにしてもよい。例えば、自担当で未送信の画像処理装置１９０が存在する場合には黄色、他担当の未送信の画像処理装置１９０が存在する場合には水色等のように、色分けして表示してもよい。色分けは、一例であって、テキスト、大きさ、形状、模様、点滅（ブリンク）表示等、これらの組み合わせによって、自担当と他担当の画像処理装置１９０を区別して表示してもよい。これによって、送信（承認）忘れを防止できる。例えば、後述する図１１に示すアラート表示１１００等のように、視覚的（アイコン、ポップアップ等）に通知してもよい。これによって、送信（承認）忘れを防止できる。
また、未送信アラート表示モジュール８３０は、未送信（未承認）の画像処理装置１９０が存在する場合で、カウンタ情報の送信期限が迫っている場合、通知の表示を変更するようにしてもよい。なお、ここで「送信期限が迫っている場合」とは、送信期間の終了日前の予め定められた期間内をいう。例えば、点滅表示ではなかった表示を点滅表示に変更、「注意」を示すテキスト表示に変更すること等がある。送信（承認）忘れを、確実に防止するためである。
【００４３】
図１０は、第２の実施の形態による処理例を示すフローチャートである。
ステップＳ１００２では、操作者の操作にしたがって、情報処理装置８００（ＰＣ）を起動し、ログインする。
ステップＳ１００４では、情報処理装置８００の機能を有するプログラムがタスクトレイに常駐する。
ステップＳ１００６では、情報収集サーバ１８０から画像処理装置１９０に関する情報を取得する。情報収集サーバ１８０からの自動取得ができない場合は、画像処理装置ＤＢ１１０から取得するようにしてもよい。
ステップＳ１００８では、カウンタ情報を未送信の画像処理装置１９０があるか否かを判断し、ある場合はステップＳ１０１０へ進み、それ以外の場合はステップＳ１０１２へ進む。
【００４４】
ステップＳ１０１０では、バルーンを表示する。表示内容は、図１１の例に示す。
ステップＳ１０１２では、終了か否かを判断し、終了の場合はステップＳ１０１６へ進み、それ以外の場合はステップＳ１０１４へ進む。
ステップＳ１０１４では、手動カウンタ情報送信期間表示モジュール８３５が、情報収集サーバ１８０から、操作者の操作にしたがって（手動で）、画像処理装置１９０に関する情報を取得する。詳細については、図５の例に示したフローチャートに記載したとおりである。
ステップＳ１０１６では、操作者の操作にしたがって、ログオフする。
【００４５】
図１１は、第２の実施の形態による処理例を示す説明図である。未送信アラート表示モジュール８３０、自動カウンタ情報送信期間表示モジュール８２５による処理によって、図１１（ａ）の例に示すアラート表示１１００を表示する。カウンタ情報の未送信であることを示すアラート表示の例である。情報処理装置８００の起動時に、カウンタ情報送信期間内（送信期間テーブル９００のカウンタ情報送信期間欄９１０）でカウンタ情報の未送信の画像処理装置１９０が存在すれば、アラート表示１１００を表示する。アラート表示１１００は、例えば、バルーンとして表示してもよい。そして、アラート表示１１００がクリックされることを検知して、画像処理装置モニター画面６００を表示するようにしてもよい。
アラート表示１１００には、例えば、アラートアイコン１１１０、「カウンタ情報の送信が必要です。２０１６／１／１５」と表示する。そして、送信期間表示アイコン１１２０Ａ等で送信期間を示し、その期間内にカウンタ情報を送信すべき画像処理装置１９０を対応させて表示している。例えば、斜線の送信期間表示アイコン１１２０Ａは、１５日から２５日までにカウンタ情報を送信すべきであること、「カウンタ情報の未送信の自担当画像処理装置あり」であることを示している。そして、これに該当する画像処理装置１９０として、画像処理装置Ａ、画像処理装置Ｂがあることを示している。また、斜線の送信期間表示アイコン１１２０Ｂは、２０日から３０日までにカウンタ情報を送信すべきであること、「カウンタ情報の未送信の自担当画像処理装置あり」であることを示している。そして、これに該当する画像処理装置１９０として、画像処理装置Ｃがあることを示している。斜線なしの送信期間表示アイコン１１２０Ｃは、２０日から３０日までにカウンタ情報を送信すべきであること、「カウンタ情報の未送信の他担当画像処理装置あり」であることを示している。そして、これに該当する画像処理装置１９０として、画像処理装置Ｘ、画像処理装置Ｙがあることを示している。
なお、アラート表示１１００内の左上に表示するアラートアイコンとして、図１１（ｂ）の例に示す４種類がある。アラートアイコン１１１０は「カウンタ情報が未送信の自担当画像処理装置あり」である場合に表示し、アラートアイコン１１１２は「カウンタ情報が未送信の他担当画像処理装置あり」である場合に表示し、アラートアイコン１１１４は「期限の迫ったカウンタ情報が未送信の自担当画像処理装置あり」である場合に表示し、アラートアイコン１１１６は「期限の迫ったカウンタ情報が未送信の他担当画像処理装置あり」である場合に表示する。
【００４６】
図１２を参照して、本実施の形態（情報処理装置１００、情報処理装置８００）の情報処理装置のハードウェア構成例について説明する。図１２に示す構成は、例えばパーソナルコンピュータ（ＰＣ）等によって構成されるものであり、スキャナ等のデータ読み取り部１２１７と、プリンタ等のデータ出力部１２１８を備えたハードウェア構成例を示している。
【００４７】
ＣＰＵ（Ｃｅｎｔｒａｌ  Ｐｒｏｃｅｓｓｉｎｇ  Ｕｎｉｔ）１２０１は、前述の実施の形態において説明した各種のモジュール、すなわち、画像処理装置登録管理モジュール１０５、画像処理装置情報収集モジュール１１５、画像処理装置カウンタ収集モジュール１２０、画像処理装置情報整合モジュール１２５、表示モジュール１３０、情報送信モジュール１３５、定期問合せモジュール８２０、自動カウンタ情報送信期間表示モジュール８２５、未送信アラート表示モジュール８３０、手動カウンタ情報送信期間表示モジュール８３５等の各モジュールの実行シーケンスを記述したコンピュータ・プログラムにしたがった処理を実行する制御部である。
【００４８】
ＲＯＭ（Ｒｅａｄ  Ｏｎｌｙ  Ｍｅｍｏｒｙ）１２０２は、ＣＰＵ１２０１が使用するプログラムや演算パラメータ等を格納する。ＲＡＭ（Ｒａｎｄｏｍ  Ａｃｃｅｓｓ  Ｍｅｍｏｒｙ）１２０３は、ＣＰＵ１２０１の実行において使用するプログラムや、その実行において適宜変化するパラメータ等を格納する。これらはＣＰＵバス等から構成されるホストバス１２０４により相互に接続されている。
【００４９】
ホストバス１２０４は、ブリッジ１２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１２０６に接続されている。
【００５０】
キーボード１２０８、マウス等のポインティングデバイス１２０９は、操作者により操作されるデバイスである。ディスプレイ１２１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１２０９とディスプレイ１２１０の両方の機能を備えているタッチスクリーン等であってもよい。
【００５１】
ＨＤＤ（Ｈａｒｄ  Ｄｉｓｋ  Ｄｒｉｖｅ）１２１１は、ハードディスク（フラッシュ・メモリ等であってもよい）を内蔵し、ハードディスクを駆動し、ＣＰＵ１２０１によって実行するプログラムや情報を記録又は再生させる。ハードディスクは、画像処理装置ＤＢ１１０等としての機能を実現させる。さらに、その他の各種データ、各種コンピュータ・プログラム等が格納される。
【００５２】
ドライブ１２１２は、装着されている磁気ディスク、光ディスク、光磁気ディスク、又は半導体メモリ等のリムーバブル記録媒体１２１３に記録されているデータ又はプログラムを読み出して、そのデータ又はプログラムを、インタフェース１２０７、外部バス１２０６、ブリッジ１２０５、及びホストバス１２０４を介して接続されているＲＡＭ１２０３に供給する。なお、リムーバブル記録媒体１２１３も、データ記録領域として利用可能である。
【００５３】
接続ポート１２１４は、外部接続機器１２１５を接続するポートであり、ＵＳＢ、ＩＥＥＥ１３９４等の接続部を持つ。接続ポート１２１４は、インタフェース１２０７、及び外部バス１２０６、ブリッジ１２０５、ホストバス１２０４等を介してＣＰＵ１２０１等に接続されている。通信部１２１６は、通信回線に接続され、外部とのデータ通信処理を実行する。データ読み取り部１２１７は、例えばスキャナであり、ドキュメントの読み取り処理を実行する。データ出力部１２１８は、例えばプリンタであり、ドキュメントデータの出力処理を実行する。
【００５４】
なお、図１２に示す情報処理装置のハードウェア構成は、１つの構成例を示すものであり、本実施の形態は、図１２に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１２に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【００５５】
なお、前述の各種の実施の形態を組み合わせてもよく（例えば、ある実施の形態内のモジュールを他の実施の形態内に追加する、入れ替えをする等も含む）、また、各モジュールの処理内容として背景技術で説明した技術を採用してもよい。
【００５６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５７】
１００…情報処理装置
１０５…画像処理装置登録管理モジュール
１１０…画像処理装置ＤＢ
１１５…画像処理装置情報収集モジュール
１２０…画像処理装置カウンタ収集モジュール
１２５…画像処理装置情報整合モジュール
１３０…表示モジュール
１３５…情報送信モジュール
１８０…情報収集サーバ
１９０…画像処理装置
２３０…ファイアーウォール
２９０…通信回線
８００…情報処理装置
８２０…定期問合せモジュール
８２５…自動カウンタ情報送信期間表示モジュール
８３０…未送信アラート表示モジュール
８３５…手動カウンタ情報送信期間表示モジュール
【図１】
2017162169.tif 000003
【図２】
2017162169.tif 000004
【図３】
2017162169.tif 000005
【図４】
2017162169.tif 000006
【図５】
2017162169.tif 000007
【図６】
2017162169.tif 000008
【図７】
2017162169.tif 000009
【図８】
2017162169.tif 000010
【図９】
2017162169.tif 000011
【図１０】
2017162169.tif 000012
【図１１】
2017162169.tif 000013
【図１２】
2017162169.tif 000014